(57)【要約】【課題】  ボルトによるまでもなくレールとレール取付金具との結合強度を十分に高いものとすることができる建材施工構造と、この建材施工構造に用いられるレール取付金具とを提供する。【解決手段】  レール取付金具４は、躯体壁面に沿う縦片部５と、該縦片部５から水平に前方へ突出する２葉の横片部６，７とを有している。横片部６，７は上下に間隔をおいて設けられている。レール取付金具４をアンカーボルト２によって壁面１に取り付け、レール１０の箱型部１１をレール取付金具４の横片部６，７間に嵌合させてビス９留めする。次いで、タイル４０の上部及び下部の双方に取り付けられたフック金具２０，３０のフック片２２，３２をレール１０のフック金具掛止片１４，１５にそれぞれ掛止してタイル４０を取り付ける。【選択図】図１
2005273259.tif 000002
【特許請求の範囲】
【請求項１】
建築物躯体の壁面にレールをレール取付金具を介して取り付け、このレールに板状建材を取り付けた建材施工構造において、
該レール取付金具は、該壁面に沿う縦片部と、該縦片部から前方へ張り出す複数の横片部とを備え、
該横片部は上下に離隔して複数個設けられており、
該レールが該横片部同士の間に嵌合して固定されていることを特徴とする建材施工構造。
【請求項２】
請求項１において、該レールに略長方形の鉛直断面形状の箱型部が設けられており、
該箱型部が前記横片部同士の間に嵌合して固定されていることを特徴とする建材施工構造。
【請求項３】
請求項２において、該箱型部が該横片部に対しビス留めされていることを特徴とする建材施工構造。
【請求項４】
建築物躯体の壁面に沿うように配置される縦片部と、
該縦片部から垂直に、且つ相互間にレール嵌合用の間隔をあけて立設された複数の横片部と
を備えてなるレール取付金具。
【発明の詳細な説明】
【技術分野】
【０００１】
本発明は、タイル等の板状建材を建築物の壁面に取り付けた建材施工構造に係り、特に壁面に取り付けたレールに接着剤によって建材を接着した建材施工構造に関する。また、本発明は、この建材施工構造に用いられるレール取付金具に関する。
【背景技術】
【０００２】
建築物の壁面にタイルを取付施工した構造として、該壁面にレールをレール取付金具を介して取り付け、このレールにパネルを掛止した構造が特開２００２−２１２３３号公報に記載されている。
【０００３】
同号公報では、パネルの背面の上下双方にフック金具を取り付け、このフック金具をレールに掛止している。同合公報のレール取付金具はＬ字形のピース状金具よりなる。レールは、このレール取付金具上に載設され、ボルトにより固定されている。
【特許文献１】特開２００２−２１２３３号公報
【発明の開示】
【発明が解決しようとする課題】
【０００４】
上記特開２００２−２１２３３号公報の建材施工構造にあっては、レール取付金具がＬ字形であり、レールが該レール取付金具に載設されているため、レールの固定はボルトにより強固に行う必要がある。
【０００５】
また、Ｌ字形のレール取付金具のコーナー部付近には相当に大きな応力が生じるので、レール取付金具として厚肉の高強度材を用いる必要がある。
【０００６】
本発明は、ボルトによるまでもなくレールとレール取付金具との結合強度を十分に高いものとすることができる建材施工構造と、この建材施工構造に用いられるレール取付金具とを提供することを目的とする。
【課題を解決するための手段】
【０００７】
本発明（請求項１）の建材施工構造は、建築物躯体の壁面にレールをレール取付金具を介して取り付け、このレールに板状建材を取り付けた建材施工構造において、該レール取付金具は、該壁面に沿う縦片部と、該縦片部から前方へ張り出す複数の横片部とを備え、該横片部は上下に離隔して複数個設けられており、該レールが該横片部同士の間に嵌合して固定されていることを特徴とするものである。
【０００８】
請求項２の建材施工構造は、請求項１において、該レールに略長方形の鉛直断面形状の箱型部が設けられており、該箱型部が前記横片部同士の間に嵌合して固定されていることを特徴とするものである。
【０００９】
請求項３の建材施工構造は、請求項２において、該箱型部が該横片部に対しビス留めされていることを特徴とするものである。
【００１０】
本発明（請求項４）のレール取付金具は、建築物躯体の壁面に沿うように配置される縦片部と、該縦片部から垂直に、且つ相互間にレール嵌合用の間隔をあけて立設された複数の横片部とを備えてなるものである。
【発明の効果】
【００１１】
本発明の建材施工構造及びレール取付金具にあっては、該レール取付金具に設けられた複数の横片部同士の間にレールが嵌合するため、レールとレール取付金具との結合強度が高くなる。このため、レールをボルト留めではなくビス留め等の簡易な固定手段によりレール取付金具に対し強固に固定することができる。また、横片部が複数個設けられているため、横片部と縦片部との付け根付近に生じる応力が軽減され、レール取付金具の肉厚を小さくすることが可能である。
【発明を実施するための最良の形態】
【００１２】
以下、図面を参照して実施の形態について説明する。図１は実施の形態に係る建材施工構造を示す縦断面図、図２はその分解斜視図である。
【００１３】
図１に示すように、建築物の躯体壁面１に沿って板状建材としてのタイル４０が複数枚上下方向に多段に且つ左右方向に多列に配設され、各タイル４０の背面の上部及び下部にそれぞれ取り付けられたフック金具２０，３０と、該フック金具２０，３０が掛止されたレール１０と、該レール１０を躯体壁面１に固定したレール取付金具４とを介して該躯体壁面１に取付施工されている。
【００１４】
該躯体壁面１にはアンカーボルト２が設けられ、このアンカーボルト２とナット３によってレール取付金具４が躯体に固定設置されている。
【００１５】
このレール取付金具４は、躯体壁面に沿う縦片部５と、該縦片部５から水平に前方へ突出する２葉の横片部６，７とを有した略Ｆ字形状のものである。
【００１６】
この横片部６，７は上下に間隔をおいて設けられている。縦片部５には上下方向に長い長孔５ａが設けられている。アンカーボルト２が該長孔５ａに挿通され、ナット３が締め込まれることにより、レール取付金具４が壁面１に固定される。
【００１７】
なお、図１では、縦片部５の上端側に横片部６，７を配置しているが、上下逆にして横片部６，７を縦片部５の下端側に配置してもよい。ただし、後述のビス留め作業を容易とするためには、図示のように横片部６，７を縦片部５の上端側に位置させるのが好ましい。
【００１８】
横片部６，７には、それぞれ前後方向に長いビス挿通用の長孔６ａ，７ａが設けられている。
【００１９】
レール取付金具４は、壁面に沿う水平方向幅が５０〜８０ｍｍ程度のピース物であるが、寸法はこれに限定されない。レール取付金具４は、壁面１の同一高さに所定間隔をおいて複数個取り付けられる。また、レール取付金具４は、上下方向にもタイル配列ピッチにて多段に取り付けられる。
【００２０】
このレール取付金具４の横片部６，７同士の間にレール１０の箱型部１１が嵌合され、ビス９によって固定されている。
【００２１】
このレール１０は、略長方形の鉛直断面形状の該箱型部１１と、該箱型部１１の前端上縁から上方に起立する起立片１２と、箱型部１１の前端下縁から下方に垂下する垂下片１３と、該起立片１２及び垂下片１３の前面から前方へ突設された上下１対のフック金具掛止片１４，１５等を有する。なお、該起立片１２及び垂下片１３の前面同士並びに箱型部１１の前端面は互いに面一に連なっている。
【００２２】
この箱型部１１の上下幅は、横片部６，７の間隔と同一か極くわずか小さいものとなっており、この箱型部１１が横片部６，７間にほぼぴったりと嵌合する。横片部６の長孔６ａを通してビス９を箱型部１１に螺じ込むことにより、レール１０がレール取付金具４に固定される。なお、箱型部１１の最後部の上下両面には極く低い高さの突起１１ａが設けられ、横片部６，７の前端部の対向面に同様の高さの突起６ｂ，７ｂが設けられている。これらの突起１１ａ，６ｂ，７ｂは、ビス９を打つ前の段階でレール１０が横片部６，７間から抜けることを防止するためのものである。
【００２３】
フック金具掛止片１４，１５は、それぞれ、起立片１２及び垂下片１３の前面から前方へ水平に突設された水平部（符号略）と、該水平部の先端から上方へ起立する立上部（符号略）とを有した上向きＬ字形のものである。上側の掛止片１４には上段側のタイル４０の下部に取り付けられたフック金具３０のフック片３２が掛止され、下側の掛止片１５には、下段側のタイル４０の上部に取り付けられたフック金具２０のフック片２２が掛止される。
【００２４】
フック金具２０，３０は、それぞれ、タイル４０の背面に沿って配置される基片２１，３１と、該基片２１，３１から後方へ突設されたフック片２２，３２等を有している。これらのフック金具２０，３０は、それぞれ、基片２１，３１がタイル４０の背面に沿って配置され、該基片２１，３１に設けられたリベット挿通孔（符号略）を介してタイル４０の背面のリベット打込穴（符号略）にリベット５０が打ち込まれることにより、該タイル４０に固定されている。なお、該フック金具２０の基片２１の上端部から前方へ位置決め用の突片２３が突設されており、フック金具２０をタイル４０に取り付けるに際し、該突片２３をタイル４０の上端部に掛止して該フック金具２０の位置決めを行うようになっている。
【００２５】
該フック片２２，３２は、それぞれ、基片２１，３１の後面から後方へ水平に延出する水平部（符号略）と、該水平部の後端から下方へ垂下する垂下部（符号略）とを有する下向きＬ字形のものである。なお、図１に示すように、フック片２２の水平部の後端からは、レール１０の箱型部１１の前端面に沿うように上方へ起立する起立部２４が突設されている。この起立部２４は、フック片２２が掛止片１５に掛止されたときに該箱型部１１の前端面に重ね合わされ、ビス５１によって固定される。
【００２６】
タイル４０の裏面には、タイル４０が万一割れても飛散しないようにするための飛散防止材４１が付着されている。
【００２７】
図１の建材（タイル）施工構造とするには、まず、レール取付金具４をアンカーボルト２によって壁面１に取り付け、このレール取付金具４を介してレール１０をタイル４０の配列ピッチにて上下方向に所定段数配設する。この際、レール１０の箱型部１１を該レール取付金具４の横片部６，７同士の間に嵌合させてビス９留めすることにより、該レール１０をレール取付金具４に固定する。また、タイル４０の背面の上部及び下部にそれぞれフック金具２０，３０を取り付けておく。
【００２８】
次いで、タイル４０の上部に取り付けられたフック金具２０のフック片２２を上段側のレール１０の下側フック金具掛止片１５に掛止すると共に、タイル４０の下部に取り付けられたフック金具３０のフック片３２を下段側のレール１０の上側フック金具掛止片１４に掛止してタイル４０を取り付ける。なお、この際、フック片２２の前記起立部２４をレール１０の箱型部１１の前端面に重ね合わせてビス５１留めし、フック金具２０をレール１０に固定する。また、図示の通り、フック片３２と掛止片１４との間に充填材５２を充填してフック金具３０を該掛止片１４に固定する。
【００２９】
このように構成された建材施工構造にあっては、レール取付金具４は、上下に間隔をあけて配置された２葉のレール固定用の横片部６，７を有しており、これらの横片部６，７同士の間にレール１０の箱型部１１が嵌合するため、レール１０とレール取付金具４との結合強度が高い。このため、レール１０を、ボルト留めではなく、より簡易なビス留めによってレール取付金具４に対し強固に固定することができる。また、２葉の横片部６，７によりレール１０を保持するため、各横片部６，７と縦片部５との付け根付近に生じる応力が軽減され、レール取付金具４の肉厚を小さくすることが可能である。
【００３０】
しかも、該箱型部１１を横片部６，７の間に嵌合させることにより、レール１０をレール取付金具４に仮留めしておくことができるため、ビス留め作業を効率良く行うことができる。特に、この実施の形態では、該箱型部１１と横片部６，７との対向面にそれぞれ突起１１ａ，６ｂ，７ｂが設けられているので、ビス９を打つ前の段階でレール１０が横片部６，７間から抜けることが防止され、極めて作業性が良好である。
【００３１】
この実施の形態では建材としてタイルが用いられているが、石材など他の板状建材であってもよい。
【図面の簡単な説明】
【００３２】
【図１】実施の形態に係る建材施工構造を示す縦断面図である。
【図２】図１の構造を説明する分解斜視図である。
【符号の説明】
【００３３】
１  躯体壁面
４  レール取付金具
５  縦片部
６，７  横片部
９  ビス
１０  レール
１１  箱型部
１２  起立片
１３  垂下片
１４，１５  フック金具掛止片
２０，３０  フック金具
２２，３２  フック片
４０  タイル
【図１】
2005273259.tif 000003
【図２】
2005273259.tif 000004